(57)【要約】【課題】  足の縦アーチの崩れを防止して、歩行の安定性を高めることができると共に、不要なときは、取り外すことができるサポータ付き履物を提供すること。【解決手段】  靴１３の中底１４の土踏まず部１４ａに形成された挿通孔１５に、サポータ１２を着脱自在に挿通して、足の中足部を締め付けることができるサポータ付き履物１１であって、サポータ１２は、足の土踏まずを含む内甲側部及び外甲側部をそれぞれ保持するための一対の内甲用及び外甲用保持シート部１７、１８と、この一対のそれぞれの保持シート部１７、１８を互いに連結するゴム様弾性体で形成された内甲用及び外甲用締付けベルト部１９、２０と、一対の内甲用及び外甲用保持シート部１７、１８のそれぞれの先端部に設けられた連結部２１とを備える。【選択図】      図１
0003143207.tif 000002
【実用新案登録請求の範囲】
【請求項１】
履物の中底の土踏まず部に形成された挿通孔に着脱自在に挿通して、足の中足部を締め付けるためのサポータであって、
足の土踏まずを含む内甲側部及び外甲側部をそれぞれ保持するための一対の保持シート部と、
この一対のそれぞれの保持シート部を互いに連結するゴム様弾性体で形成された締付けベルト部と、
前記一対の保持シート部のそれぞれの先端部に設けられた連結部とを備えることを特徴とするサポータ。
【請求項２】
前記連結部は、靴紐を通すことができる紐挿通孔、又は面ファスナを有することを特徴とする請求項１記載のサポータ。
【請求項３】
前記一対の保持シート部は、その横幅が足の土踏まずの長さと略同一の寸法であり、合成樹脂製のメッシュ状体、又は通気性を有する布状体で形成されていることを特徴とする請求項１又は２記載のサポータ。
【請求項４】
前記一対の保持シート部は、内甲用保持シート部と外甲用保持シート部とを有し、
前記締付けベルト部は、それぞれが略同等の弾性力を有する１本の内甲用締付けベルト部と２本の外甲用締付けベルト部とを有し、
前記１本の内甲用締付けベルト部は、前記内甲用保持シート部の略全体の長さに亘ってこの内甲用保持シート部と結合し、その一端部が前記外甲用保持シート部と結合すると共に、他端部が前記連結部と結合し、
前記２本の外甲用締付けベルト部は、前記外甲用保持シート部の略全体の長さに亘ってこの外甲用保持シート部と結合し、各一端部が前記内甲用保持シート部とそれぞれ別々に結合すると共に、他端部が前記連結部と結合することを特徴とする請求項１乃至３のいずれかに記載のサポータ。
【請求項５】
請求項１乃至４のいずれかに記載のサポータが、中底の土踏まず部に形成された挿通孔に挿通していることを特徴とするサポータ付き履物。
【請求項６】
履物が靴であることを特徴とする請求項５記載のサポータ付き履物。
【請求項７】
前記挿通孔は、前記中底の上面と、この中底の上面に設けられたカバーシート部との間に形成されていることを特徴とする請求項５又は６記載のサポータ付き履物。
【考案の詳細な説明】
【技術分野】
【０００１】
本考案は、靴等の履物を履いた状態で足の土踏まずを締め上げて、歩行の安定性を高めることができるサポータ及びサポータ付き履物に関する。
【背景技術】
【０００２】
従来の靴用中敷の一例として、図６（ａ）、（ｂ）に示すものがある（例えば、特許文献１参照。）。この靴用中敷１は、図６（ｂ）に示すように、中敷本体部２と、ベルト３とを備えている。ベルト３は、中敷本体部２の裏側を回ってその両端部が上方に向かって延びている。そして、ベルト３の両方の各端部には、紐挿通孔４が形成されている。
【０００３】
この靴用中敷１を使用するときは、図６（ａ）に示すように、靴５内の底に装着され、ベルト３の両方の各端部を甲被本体６に形成されているそれぞれのベルト挿通孔７に挿通して、甲被本体６の外側に引き出した状態にする。そして、靴紐８をベルト３の紐挿通孔４に挿通して締め付けることによって、ベルト３で中敷本体部２の土踏まず部２ａを締め上げることができ、このようにして、中敷本体部２の土踏まず部２ａを足の土踏まずに押し付けることができる。
【０００４】
つまり、ベルト３によって中敷本体部２及び足の中足部を締め上げることができ、靴紐８によって、このベルト３を甲被本体６に固定して取り付けることができる。これによって、足が靴５内でずれて移動することがなく、靴５を足に対してぴったりと装着することができる。
【特許文献１】特開平０９−５６４１２号公報
【考案の開示】
【考案が解決しようとする課題】
【０００５】
しかし、上記従来の靴用中敷１では、ベルト３が伸縮性の小さいものである場合は、このベルト３を足にあてがって、靴紐８で適切な締付け力で締め付けることができたとしても、歩行することによって、その締付け力が緩むことがあり、締付け力が不適切となることがある。
【０００６】
また、ベルト３を合成ゴムで形成して伸縮性を持たせた場合は、足を適切な締付け力で締め上げることができるが、ベルト３自体の通気性が悪く足蒸れの原因となる。
【０００７】
本考案は、上記のような課題を解決するためになされたものであり、足の縦アーチの崩れを防止して、歩行の安定性を高めることができると共に、不要なときは、取り外すことができるサポータ、及びサポータ付き履物を提供することを目的としている。
【課題を解決するための手段】
【０００８】
本考案に係るサポータは、履物の中底の土踏まず部に形成された挿通孔に着脱自在に挿通して、足の中足部を締め付けるためのサポータであって、足の土踏まずを含む内甲側部及び外甲側部をそれぞれ保持するための一対の保持シート部と、この一対のそれぞれの保持シート部を互いに連結するゴム様弾性体で形成された締付けベルト部と、前記一対の保持シート部のそれぞれの先端部に設けられた連結部とを備えることを特徴とするものである。
【０００９】
本考案に係るサポータによると、履物の中底の土踏まず部に形成された挿通孔に挿通して、各保持シート部の先端部に設けられた連結部を例えば履物の紐に連結することによって、履物に挿入された足の中足部を締め付けることができる。このようにして、この一対の各保持シート部及び締付けベルト部によって、足の甲の頂部に対して、足の土踏まず、内甲側部、及び外甲側部を締め上げることができる。
【００１０】
そして、一対の保持シート部は、ゴム様弾性体で形成された締付けベルト部によって互いに連結しているので、足の大きさに応じてこのサポータが伸縮することができる。よって、足の大きさに拘らず、この一対の各保持シート部及び締付けベルト部は、所定の適切な締付け力で足の土踏まず、内甲側部及び外甲側部を締め上げることができる。
【００１１】
そして、この考案に係るサポータにおいて、前記連結部は、靴紐を通すことができる紐挿通孔、又は面ファスナを有するものとすることができる。
【００１２】
このように、連結部が、靴紐を通すことができる紐挿通孔を有するものとすると、このサポータを紐靴に使用した場合に、その靴紐を使用してこのサポータを足の中足部に締め付けて、足の土踏まず、内甲側部、及び外甲側部を締め上げることができる。そして、連結部が面ファスナを有するものとすると、比較的簡単に、足の土踏まず等を締め上げることができるし、このサポータを足から取り外すことができる。
【００１３】
また、この考案に係るサポータにおいて、前記一対の保持シート部は、その横幅が足の土踏まずの長さと略同一の寸法であり、合成樹脂製のメッシュ状体、又は通気性を有する布状体で形成されているものとすることができる。
【００１４】
このように、一対の保持シート部が、合成樹脂製のメッシュ状体、又は通気性を有する布状体とすると、足触りを良好にすることができると共に、通気性が良く足蒸れを低減することができ、更に、足にぴったりと装着することができる。
【００１５】
更に、この考案に係るサポータにおいて、前記一対の保持シート部は、内甲用保持シート部と外甲用保持シート部とを有し、前記締付けベルト部は、それぞれが略同等の弾性力を有する１本の内甲用締付けベルト部と２本の外甲用締付けベルト部とを有し、前記１本の内甲用締付けベルト部は、前記内甲用保持シート部の略全体の長さに亘ってこの内甲用保持シート部と結合し、その一端部が前記外甲用保持シート部と結合すると共に、他端部が前記連結部と結合し、前記２本の外甲用締付けベルト部は、前記外甲用保持シート部の略全体の長さに亘ってこの外甲用保持シート部と結合し、各一端部が前記内甲用保持シート部とそれぞれ別々に結合すると共に、他端部が前記連結部と結合するものとすることができる。
【００１６】
このようにすると、２本の外甲用締付けベルト部が、足の甲の頂部に対して外甲側部を引き上げることができ、１本の内甲用締付けベルト部が、足の甲の頂部に対して内甲側部を引き上げることができる。このように、足の外甲側部を引き上げる力を、内甲側部を引き上げる力よりも大きくすることによって、歩行時において、足が外側に流れようとする動きを抑制することができ、安定した歩行ができるようにすることができる。
【００１７】
この考案に係るサポータ付き履物は、この考案に係るサポータが、中底の土踏まず部に形成された挿通孔に挿通していることを特徴とするものである。
【００１８】
本考案に係るサポータ付き履物によると、サポータによって足の中足部を締め上げたときに、履物の中底の土踏まず部を、足の土踏まずに密着させることができる。これによって、足が履物内でずれて動くことなく、履物が足と一体となり、歩行をし易くすることができる。また、サポータは、足の土踏まずを締め上げているので、足の爪先を自由に動かすことができ、歩行の安定性を確保することができる。
【００１９】
そして、この考案に係るサポータ付き履物において、履物が靴であるものとすることができる。このように、本考案に係るサポータ付き履物を靴に適用することによって、安定して歩行することができる靴を提供することができる。
【００２０】
また、この考案に係るサポータ付き履物において、前記挿通孔は、前記中底の上面と、この中底の上面に設けられたカバーシート部との間に形成されているものとすることができる。このようにすると、比較的簡単に中底に挿通孔を形成することができるし、簡単な中底構造にすることができる。よって、比較的安価なサポータ付き履物を提供できる。
【考案の効果】
【００２１】
本考案に係るサポータ、及びサポータ付き履物によると、一対の各保持シート部及び締付けベルト部によって、足の土踏まず、内甲側部、及び外甲側部を締め付けることができる構成としたので、足の縦アーチが崩れないように、所望の適切な締付け力で、足の甲の頂部に対して、これら足の土踏まず、内甲側部、及び外甲側部を締め上げて保持することができる。これによって、歩行の安定性を高めることができる。
【００２２】
そして、サポータは、履物の中底に形成された挿通孔に着脱自在に挿通して使用される構成としたので、このサポータを使用しないときは、履物から取り外すことができる。よって、サポータを必要に応じて中底に装着して使用することができる。
【考案を実施するための最良の形態】
【００２３】
以下、本考案に係るサポータ、及びサポータ付き履物の一実施形態を、図１〜図５を参照して説明する。このサポータ付き履物１１に取り付けられるサポータ１２は、例えば靴１３等の履物が備える中底１４の土踏まず部１４ａに形成された挿通孔１５に着脱自在に挿通して、足の中足部を締め上げることができるものであり、これによって、足の縦アーチの崩れを防止して、歩行の安定性を高めるようにするものである。このサポータ付き履物１１は、図１（ａ）の靴１３の横断面図、及び図１（ｂ）のＡ−Ａ拡大断面図に示すように、靴１３と、サポータ１２とを備えている。
【００２４】
靴１３は、図４（ａ）、（ｂ）に示すように、紐付きのウォーキングシューズである。この靴１３の中底１４の土踏まず部１４ａであって、その上面には、図１（ａ）、（ｂ）、及び図３に示すように、略矩形のカバーシート部１６が例えば縫い付けられて結合している。このカバーシート部１６は、例えば布製であり、前側縁部と、後側縁部とが中底１４と結合しており、このカバーシート部１６の下面と、中底１４の上面との間に挿通孔１５が形成されている。
【００２５】
この挿通孔１５は、図１（ａ）、（ｂ）に示すように、サポータ１２を挿通するためのものであり、サポータ１２の横幅よりも少し大き目に形成され、この挿通孔１５の方向は、靴１３の長さ方向に対して直角方向に向かっている。
【００２６】
サポータ１２は、図１及び図２に示すように、一対の保持シート部１７、１８を備え、この一対のそれぞれの保持シート部１７、１８は、締付けベルト部１９、２０を介して互いに連結している。そして、一対の保持シート部１７、１８のそれぞれの先端部には、連結部２１が設けられている。
【００２７】
一対の保持シート部１７、１８は、図１及び図２に示すように、足の土踏まずを含む内甲側部及び外甲側部をそれぞれ締め付けて保持するためのものであり、内甲用保持シート部１７と、外甲用保持シート部１８とを有している。各保持シート部１７、１８は、それぞれ同等のものである。各保持シート部１７、１８は、例えば平面形状が略三角形の合成樹脂製のメッシュ状体で形成され、伸縮性を有している。そして、各保持シート部１７、１８の底辺部の横幅は、足の土踏まずの長さ（足の長さ方向の寸法）と略同一の寸法である。
【００２８】
締付けベルト部１９、２０は、図１及び図２に示すように、互いに間隔を隔てて配置された一対のそれぞれの保持シート部１７、１８を互いに連結するためのものである。そして、この締付けベルト部１９、２０は、細長い帯状のものであって、合成ゴム等のゴム様弾性体で形成されている。
【００２９】
この締付けベルト部１９、２０は、それぞれが略同等の弾力性を有する１本の内甲用締付けベルト部１９と、２本の外甲用締付けベルト部２０とを備えている。この１本の内甲用締付けベルト部１９は、内甲用保持シート部１７の略全体の長さに亘ってこの内甲用保持シート部１７の下面に縫い付けられて結合している。そして、２本の外甲用締付けベルト部２０は、外甲用保持シート部１８の略全体の長さに亘ってこの外甲用保持シート部１８の下面に縫い付けられて結合している。
【００３０】
そして、図２（ａ）、（ｂ）、（ｃ）に示すように、１本の内甲用締付けベルト部１９は、その一端部が内甲用保持シート部１７の略三角形の頂部（先端部）の下面に縫い付けられて結合し、その他端部が外甲用保持シート部１８の底辺部の上面に縫い付けられて結合している。
【００３１】
そして、２本の外甲用締付けベルト部２０は、Ｖ字状に配置され、互いに一部が交差する側の端部が外甲用保持シート部１８の略三角形の頂部（先端部）の下面に縫い付けられて結合している。そして、このベルト部２０の２つの他方の各端部は、内甲用保持シート部１７の底辺部の上面に、互いに間隔を隔ててそれぞれ別々に縫い付けられて結合している。
【００３２】
これら内甲用保持シート部１７と外甲用保持シート部１８とは、１本の内甲用締付けベルト部１９及び２本の外甲用締付けベルト部２０によって互いに伸縮自在に連結されている。
【００３３】
連結部２１は、図４（ａ）、（ｂ）に示すように、内甲及び外甲用保持シート部１７、１８のそれぞれの先端部を靴紐２２に接続するためのものであり、合成樹脂製の短い帯状のものである。
【００３４】
そして、図２（ａ）、（ｂ）、（ｃ）に示すように、一方の連結部２１は、内甲用締付けベルト部１９の先端部と重なり合った状態で、内甲用保持シート部１７の先端部の下面に縫い付けられて結合している。また、他方の連結部２１は、外甲用締付けベルト部２０、２０の各先端部と重なり合った状態で、外甲用保持シート部１８の先端部の下面に縫い付けられて結合している。
【００３５】
これらそれぞれの連結部２１の先端部は、各保持シート部１７、１８の先端部から突出しており、各連結部２１の先端部には、紐挿通孔２３が形成されている。
【００３６】
そして、それぞれの連結部２１は、図４（ａ）、（ｂ）に示すように、靴１３の内側から、靴１３の甲被本体２４に形成されている各貫通孔２５に挿通して、靴１３の外側に引き出すことができる。
【００３７】
上記のように構成されたサポータ１２、及びサポータ付き履物１１によると、図１及び図５に示すように、まず、サポータ１２を、靴１３の中底１４の土踏まず部１４ａに形成された挿通孔１５に挿通する。そして、内甲用及び外甲用の各保持シート部１７、１８の先端部に設けられた各連結部２１を、甲被本体２４に形成されたそれぞれの貫通孔２５に通して、靴１３の外側に引き出す。次に、図４（ａ）、（ｂ）に示すように、これら靴１３の外側に引き出したそれぞれの連結部２１の紐挿通孔２３に、靴紐２２を挿通して、この靴紐２２を締め付けることによって、サポータ１２を足の中足部に締め付けることができる。
【００３８】
このようにして、この一対の内甲用及び外甲用の各保持シート部１７、１８及び締付けベルト部１９、２０によって、足の甲の頂部に対して、足の土踏まず、内甲側部、及び外甲側部を締め上げることができる。
【００３９】
そして、図１（ａ）、（ｂ）に示すように、一対の保持シート部１７、１８は、ゴム様弾性体で形成された３本の締付けベルト部１９、２０によって互いに連結しているので、足の大きさに応じてこのサポータ１２が伸縮することができる。よって、足の大きさに拘らず、この一対の各保持シート部１７、１８及び締付けベルト部１９、２０は、所定の適切な締付け力で足の土踏まず、内甲側部及び外甲側部を締め上げることができる。
【００４０】
従って、図４（ａ）、（ｂ）に示すように、このサポータ１２によると、足の縦アーチが崩れないように、所望の適切な締付け力で、足の甲の頂部に対して、これら足の土踏まず、内甲側部、及び外甲側部を締め上げて保持することができる。これによって、歩行の安定性を高めることができる。
【００４１】
そして、サポータ１２は、靴１３の中底１４に形成された挿通孔１５に着脱自在に挿通して使用できる構成としたので、このサポータ１２を使用しないときは、靴１３から取り外すことができる。よって、サポータ１２を必要に応じて中底１４に装着して使用することができる。
【００４２】
そして、サポータ１２の連結部２１は、図４（ａ）、（ｂ）に示すように、靴紐２２を通すことができる紐挿通孔２３を有する構成としたので、このサポータ１２を紐靴１３に使用した場合に、その靴紐２２を使用してこのサポータ１２を足の中足部に締め付けて、足の土踏まず、内甲側部、及び外甲側部を締め上げることができる。
【００４３】
また、サポータ１２の一対の内甲用及び外甲用の各保持シート部１７、１８は、図５に示すように、合成樹脂製のメッシュ状体で形成したので、足触りを良好にすることができると共に、通気性が良く足蒸れを低減することができ、更に、足にぴったりと装着することができる。
【００４４】
更に、このサポータ付き履物１１によると、サポータ１２を挿通することができる挿通孔１５は、中底１４と、この中底１４の土踏まず部１４ａに結合するカバーシート部１６とによって形成されているので、この挿通孔１５に挿通するサポータ１２によって足の中足部を締め上げたときに、中底１４の土踏まず部１４ａを、足の土踏まずに密着させることができる。
【００４５】
これによって、足が靴１３内でずれて動くことなく、靴１３が足と一体となり、歩行をし易くすることができる。また、サポータ１２は、足の土踏まずを締め上げているので、足の爪先を自由に動かすことができ、歩行の安定性を確保することができる。
【００４６】
そして、図４（ａ）、（ｂ）に示すように、このサポータ付き履物１１を靴１３に適用することによって、安定して歩行することができる靴を提供することができる。
【００４７】
また、図５に示すように、このサポータ付き履物１１において、挿通孔１５は、中底１４の上面と、カバーシート部１６との間に形成されている。このように構成したことによって、比較的簡単に中底１４に挿通孔１５を形成することができるし、簡単な中底構造にすることができる。よって、比較的安価なサポータ付き履物１１を提供できる。
【００４８】
更に、図４（ｂ）に示すように、外甲用保持シート部１８に２本の外甲用締付けベルト部２０を設けてあり、この２本の外甲用締付けベルト部２０が、足の甲の頂部に対して外甲側部を引き上げるようにしてある。そして、図４（ａ）に示すように、内甲用保持シート部１７に１本の内甲用締付けベルト部１９を設けてあり、この１本の内甲用締付けベルト部１９が、足の甲の頂部に対して内甲側部を引き上げるようにしてある。このように、足の外甲側部を引き上げる力を、内甲側部を引き上げる力よりも大きくすることによって、歩行時において、足が外側に流れようとする動きを抑制することができ、安定した歩行ができるようにすることができる。
【００４９】
ただし、上記実施形態では、図１（ａ）に示すように、一対の内甲用及び外甲用の各保持シート部１７、１８は、平面形状が略三角形のシート状体としたが、これ以外の形状としてもよい。例えば、略半円形又は略半長円形のシート状体としてもよい。要は、一対の内甲用及び外甲用の各保持シート部１７、１８、及び締付けベルト部１９、２０によって、足の土踏まずを含む中足部を締め上げることができると共に、歩行の際に、各保持シート部１７、１８が足の曲げを阻害しないような形状にすることが好ましい。
【００５０】
そして、各保持シート部１７、１８は、合成樹脂製のメッシュ状体としたが、これに代えて、通気性を有する布状体としてもよい。要は、足触りが良好であると共に、通気性が良く足蒸れを低減することができ、更に、足にぴったりと装着することができるものが好ましい。
【００５１】
また、上記実施形態では、図４（ａ）、（ｂ）に示すように、各連結部２１に設けられている紐挿通孔２３に靴紐２２を通して締め付けることによって、足の土踏まず等を締め上げるようにしたが、これに代えて、各連結部２１に面ファスナを設けて、この面ファスナどうしを互いに着脱自在に接続することによって、足の土踏まず等を締め上げるようにしてもよい。このように、連結部２１が面ファスナを有するものとすると、比較的簡単に、足の土踏まず等を締め上げることができるし、このサポータ１２を足から取り外すことができる。
【００５２】
更に、各連結部２１に設けた面ファスナを、靴１３の甲被本体２４に設けた別の各面ファスナに着脱自在に接続するようにしてもよい。
【００５３】
そして、上記実施形態では、図２（ｃ）に示すように、内甲用保持シート部１７に１本の内甲用締付けベルト部１９を設けると共に、外甲用保持シート部１８に２本の外甲用締付けベルト部２０を設けたが、内甲用及び外甲用のそれぞれの締付けベルト部１９、２０の本数をこれ以外の本数としてもよい。
【００５４】
また、内甲用及び外甲用のそれぞれの締付けベルト部１９、２０は、同一の弾力性を有するものを使用したが、互いに相違する弾力性を有するものを使用してもよい。つまり、歩行を安定させることができるように、足の外甲側部を締め上げる強さを、内甲側部を締め上げる強さよりも大きくすることが好ましい。
【産業上の利用可能性】
【００５５】
以上のように、本考案に係るサポータ及びサポータ付き履物は、足の縦アーチの崩れを防止して、歩行の安定性を高めることができると共に、不要なときは、取り外すことができる優れた効果を有し、このようなサポータ及びサポータ付き履物に適用するのに適している。
【図面の簡単な説明】
【００５６】
【図１】この考案の一実施形態に係るサポータ付き履物を示す図であり、（ａ）は横断面図、（ｂ）はＡ−Ａ拡大断面図である。
【図２】同実施形態に係るサポータを示す図であり、（ａ）は平面図、（ｂ）は正面図、（ｃ）は底面図である。
【図３】同実施形態に係るサポータ付き履物のサポータを取り外した状態の靴を示す横断面図である。
【図４】同実施形態に係るサポータ付き履物のサポータを靴紐で締め上げた状態を示す図であり、（ａ）は靴の内側から見た左側面図、（ｂ）は靴の外側から見た右側面図である。
【図５】同実施形態に係るサポータ付き履物の中底に形成された挿通孔にサポータを挿通した状態を示す斜視図である。
【図６】従来の靴用中敷の一例を示す図であり、（ａ）はこの靴用中敷を靴に装着した状態を示す斜視図、（ｂ）はこの靴用中敷の斜視図である。
【符号の説明】
【００５７】
１１  サポータ付き履物
１２  サポータ
１３  靴
１４  中底
１４ａ  土踏まず部
１５  挿通孔
１６  カバーシート部
１７  内甲用保持シート部
１８  外甲用保持シート部
１９  内甲用締付けベルト部
２０  外甲用締付けベルト部
２１  連結部
２２  靴紐
２３  紐挿通孔
２４  甲被本体
２５  貫通孔
【図１】
0003143207.tif 000003
【図２】
0003143207.tif 000004
【図３】
0003143207.tif 000005
【図４】
0003143207.tif 000006
【図５】
0003143207.tif 000007
【図６】
0003143207.tif 000008